(57)【要約】【課題】机上用プロジェクタを容易に天井に設置できるプロジェクタ取付装置を提供すること。【解決手段】プロジェクタＰを保持する保持手段１１を有する取付ベース部１と、引掛シーリングＳあるいは引掛埋込ローゼットＳに引っ掛けられるフック部２と、プロジェクタＰの電源コンセントが接続可能なアウトレット３とを備え、フック部２を、引掛シーリングＳあるいは引掛埋込ローゼットＳから電力を導通するよう導電性部材にて形成すると共に、当該フック部２とアウトレット３とを、ケーブル５を介して電気的に接続した。【選択図】　　　　図１
2004013043.tif 000002
【特許請求の範囲】
【請求項１】
プロジェクタを照明器具取付用の引掛シーリングを介して、天井に取り付ける装置であって、
前記プロジェクタを保持する保持手段を有する取付ベース部と、前記引掛シーリングに引っ掛けられるフック部と、前記プロジェクタの電源コンセントが接続可能なアウトレットとを備え、
前記フック部を、前記引掛シーリングから電力を導通するよう導電性部材にて形成すると共に、当該フック部と前記アウトレットとを、ケーブルを介して電気的に接続したことを特徴とするプロジェクタ取付装置。
【請求項２】
プロジェクタを照明器具取付用の引掛埋込ローゼットを介して、天井に取り付ける装置であって、
前記プロジェクタを保持する保持手段を有する取付ベース部と、前記引掛埋込ローゼットに引っ掛けられるフック部と、前記プロジェクタの電源コンセントが接続可能なアウトレットとを備え、
前記フック部を、前記引掛埋込ローゼットから電力を導通するよう導電性部材にて形成すると共に、当該フック部と前記アウトレットとを、ケーブルを介して電気的に接続したことを特徴とするプロジェクタ取付装置。
【請求項３】
前記取付ベース部に固定されるプロジェクタの前記天井に対する角度を、所定の範囲にて稼働可能な角度調整部を備えたことを特徴とする請求項１又は２記載のプロジェクタ取付装置。
【請求項４】
前記プロジェクタから所定のケーブルが接続されることにより当該プロジェクタに信号を伝送する信号受信部を配設し、
この信号受信部は、他の機器と交信可能であって、当該他の機器から前記プロジェクタにて出力される信号を受信する機能を備えたことを特徴とする請求項１，２又は３記載のプロジェクタ取付装置。
【請求項５】
前記信号受信部は、前記他の機器と無線方式にて交信することを特徴とする請求項４記載のプロジェクタ取付装置。
【請求項６】
前記信号受信部は、前記他の機器とレーザ光を用いた無線方式にて交信することを特徴とする請求項４記載のプロジェクタ取付装置。
【発明の詳細な説明】
【０００１】
【発明の属する技術分野】
本発明は、プロジェクタ取付装置にかかり、特に、プロジェクタを天井に設置する装置に関する。
【０００２】
【従来の技術】
従来より、ＤＶＤ再生装置やパソコンなどに接続され、これらから出力される映像を出力するスクリーンに拡大投射するプロジェクタ装置が普及している。そして、近年では、プロジェクタ装置は小型軽量化、低価格化が進むと共に、自宅でホームシアターとしての利用を望むユーザが増え、ホームユースへの普及も目前である。
【０００３】
しかし、ホームユースの場合、机上設置はスクリーンとプロジェクタ装置の間の障害物の排除が困難となる。特に、個人宅の限られたスペースでは、プロジェクタを利用する専用の個室を確保することが難しく、なんらかの障害物によりプロジェクタの有効な利用を図ることができないケースが生じる。
【０００４】
そこで、プロジェクタを天井に設置することが考えられる。このようにすれば、上述した障害物に関する問題を抑制することができ、プロジェクタからの出力映像をスクリーンに有効に映写することができ、ユーザの満足度の向上を図ることができる。
【０００５】
【発明が解決しようとする課題】
しかしながら、プロジェクタを天井に設置するためには、天井に設置用の構造材のある場所を探して、かかる場所に天井取付用アダプタを設置しなければならない。また。電源の用意も必要なため、通常の設置作業には手間と費用が伴うため、困難である。
【０００６】
このため、一般的な家庭であればあらかじめ用意されている照明用引掛シーリング及び引掛埋め込みローゼットを利用することが考えられる。そして、これを用いたプロジェクタが特開平７−２６４５２７号公報に開示されており、これを図２に示す。これによると、引掛シーリング１０１に天井設置用プロジェクタ１０２を取り付ける。これにより、部屋の上方からスクリーン１０３に映像を投射１０４することができる。そして、このプロジェクタ１０２には、照明機能も備えられているため、別途、照明を設置する必要もなくなる。従って、上述した机上に設置したときの障害物の問題は解決できると共に、引掛シーリングから電源も確保でき、設置が容易になる。
【０００７】
しかし、上記従来例においては、設置を簡易にする手段として引掛シーリング及び引掛埋め込みローゼットを利用する発明が提示されているが、この場合のプロジェクタは天井設置専用機となり、机上設置を兼ねることができない。かかる構成では、特に照明機能をも備えているため、常時、天井にプロジェクタが設置されている状態となり、ユーザの頭上に重量の大きいプロジェクタが設置されていると、日常生活の妨げとなると共に、精神的にも圧迫感を感じるという問題が生じる。また、すでに机上用プロジェクタを所有しているユーザは、天井に設置しようとしても新たに天井設置専用のプロジェクタを購入しなければならず、余計な費用がかかり、これを生産するメーカー側も新たに設計しなければならないため、コスト増加を強いられ、価格の増加をも招いてしまうという問題も生じる。
【０００８】
【発明の目的】
本発明は、上記従来例の有する不都合を改善し、特に、机上用プロジェクタを容易に天井に設置できるプロジェクタ取付装置を提供すること、をその目的とする。
【０００９】
【課題を解決するための手段】
そこで、本発明では、プロジェクタを保持する保持手段を有する取付ベース部と、引掛シーリングあるいは引掛埋込ローゼットに引っ掛けられるフック部と、プロジェクタの電源コンセントが接続可能なアウトレットとを備え、フック部を、引掛シーリングあるいは引掛埋込ローゼットから電力を導通するよう導電性部材にて形成すると共に、当該フック部とアウトレットとを、ケーブルを介して電気的に接続した、という構成を採っている。
【００１０】
このような構成にすることにより、机上用プロジェクタを取付ベース部に取付、これをフック部を用いて引掛シーリングあるいは引掛埋込ローゼットに挿入してひねることで、ぶら下げた状態で設置できる。そして、フック部とアウトレットとを接続することにより、引掛シーリングあるいは引掛埋込ローゼットからフック部を介してアウトレットに電気を供給することができる。そして、このアウトレットにプロジェクタの電源コンセントを差し込むことにより、当該プロジェクタを天井に設置した状態で使用することができる。従って、天井に設置する専用のプロジェクタを購入することなく、机上用のプロジェクタを天井に設置できるため、コストを抑えつつ障害物に影響を受けず利用することができる。また、常時、プロジェクタをぶら下げておくことを抑制することができ、頭上スペースの有効利用を図ることができる。
【００１１】
また、取付ベース部に固定されるプロジェクタの天井に対する角度を、所定の範囲にて稼働可能な角度調整部を備えてもよい。これにより、プロジェクタの投影角度を変更することができ、当該プロジェクタの有効利用を図ることができる。
【００１２】
さらに、プロジェクタから所定のケーブルが接続されることにより当該プロジェクタに信号を伝送する信号受信部を配設し、この信号受信部は、他の機器と交信可能であって、当該他の機器からプロジェクタにて出力される信号を受信する機能を備えることとしてもよい。そして、このとき、信号受信部は、他の機器と無線方式にて交信することとすると望ましく、特に、レーザ光を用いた無線方式にて交信することとすると、なお望ましい。
【００１３】
これにより、プロジェクタが天井というユーザの手が届かない場所に設置されていても、あらかじめプロジェクタを他の機器から無線方式にて伝送される映像信号を受信する信号受信部に接続しておくことにより、ユーザは他の機器を用いて信号受信部を介してプロジェクタに信号を送信することができるため、容易に操作することができ、ユーザの利便性の向上を図ることができる。また、無線交信をレーザ光を用いた交信とすると、帯域が広く取れると共に、交点が視認でき、設置時のねらいあわせが容易となり、さらなるユーザの利便性の向上を図ることができる。
【００１４】
【発明の実施の形態】
〈一実施形態〉
以下、本発明の一実施形態を、図１を参照して説明する。図１は、本発明であるプロジェクタ取付装置の構成を示す正面図である。
【００１５】
（全体構成）
本実施形態におけるプロジェクタ取付装置は、プロジェクタＰを照明器具取付用の引掛シーリングＳあるいは引掛埋込ローゼットＳを介して、天井Ｒに取り付ける装置である。そして、図１に示すように、プロジェクタＰを保持する保持手段を有する取付ベース部１と、引掛シーリングＳあるいは引掛埋込ローゼットＳに引っ掛けられるフック部２と、プロジェクタＰの電源コンセントが接続可能なアウトレット３とを備えている。これにより、一般的な机上用プロジェクタを、天井から吊り下げて利用するというものである。以下、これを詳述する。
【００１６】
（各構成）
取付ベース部１は、略板状部材であって、上面には後に詳述するフック部２やアウトレット３を、また、下面には、プロジェクタＰを固定する保持手段１１を固着している。そして、保持手段１１は、例えば、板状の取付ベース部１同様に、板状部材であって、所定箇所にネジ穴１２を形成している。このネジ穴１２とプロジェクタＰにあらかじめ形成されているネジ穴とを、ボルトにて連結することで、取付ベース部１の下面側にプロジェクタＰを固定することができる。そして、保持手段１１に形成されているネジ穴１２は、あらゆるプロジェクタＰに対応して、複数形成されている。但し、保持手段１１は、上記の構成に限定されず、プロジェクタＰを固定できる構成であればよい。
【００１７】
また、取付ベース部１の上面には、当該取付ベース部１に固定されるプロジェクタＰの天井に対する角度を、所定の範囲にて稼働可能な角度調整部４が備えられていて、これを介してフック部２が設けられている。そして、角度調整部４は、取付ベース部１に固定されていて当該取付ベース部１に対してほぼ垂直に上方に突出する板状の揺動部４１と、この揺動部４１を所定の角度に揺動するよう導いて所定の揺動角度にて固定する略板状のガイド部４２とにより構成されている。このとき、揺動部４１は、所定の間隔を開けて２つ設けられており、さらに、これら揺動部４１に当接するよう、すなわち、２つの揺動部４１の間に位置するよう、ガイド部４２も板状のものが２つ設けられている。
【００１８】
そして、揺動部４１には、当該板状の揺動部４１に対してほぼ垂直に貫通するネジ穴（ネジが切られていなくてもよい）が縦に並んで２つと、これに対応したネジが２本備えられている（図１参照）。また、ガイド部４２には、揺動部４１に備えられた下側のネジに対応した貫通孔と、上側のネジに対応して円弧状の貫通孔が形成されている。このようにすることで、下側のネジを支点として揺動部４１を矢印Ａに示すように揺動させると、上側のネジが円弧状の貫通孔に沿って移動することとなる。そして、所定の揺動角度にてそれぞれのネジを固定、すなわち、裏側にナットを当てて締結することで、取付ベース部１と共にプロジェクタＰの天井に対する角度を、所定の角度に設定することができ、当該プロジェクタＰの投影角度を変更することができるため、当該プロジェクタＰの有効利用を図ることができる。
【００１９】
そして、上記ガイド部４２の上部にはフック部２を設けるための絶縁体から成るフックベース部２１が備えられている。このフックベース部２１は、例えば、板状部材であって、当該フックベース部２１に対して垂直に所定の間隔を開けて上述した板状のガイド部４２が固定されている。また、フックベース部２１には、上述した引掛シーリングＳあるいは引掛埋込ローゼットＳに挿入され引っ掛けられるフック部２が固定されている。フック部２は、一般的な照明に設けられているフックと同様に、引掛シーリングＳ等に引っかかるよう略クランク形状に形成されていて、さらに、当該引掛シーリングＳから電力を取り出すことができるよう、導電性部材にて形成されている。
【００２０】
そして、フック部２には、ケーブル５が接続されていて、当該ケーブル５はアウトレット３に接続されている。すなわち、フック部２とアウトレット３とが電気的に接続された状態になっているため、引掛シーリングＳ等から取り出した電力は、アウトレット３へと導通している。ここで、アウトレット３は、いわゆる電源コンセントと成るものであって、取付ベース部１の上面に固定されている。このアウトレット３にプロジェクタＰの電源ケーブルプラグを差し込むことにより、引掛シーリングＳ等からの電力が、フック部２、ケーブル５、アウトレット３を介してプロジェクタＰ供給される。
【００２１】
（動作）
次に、本実施形態の動作、すなわち、プロジェクタＰを天井に取り付ける際の動作について説明する。まず、取付ベース部１の保持手段１１のネジ穴１２と、プロジェクタＰに形成されているネジ穴とにボルトを挿通して締結し、取付ベース部１にプロジェクタＰを固定する。このとき、プロジェクタＰの電源プラグを、アウトレット３に差し込む。続いて、角度調整部４を所定の角度だけ揺動させて固定し、あらかじめプロジェクタＰの投射角度を設定する。
【００２２】
そして、プロジェクタＰが取り付けられたプロジェクタ取付装置ごと持ち上げ、フック部２を天井Ｒに備えられている照明用の引掛シーリングＳに差し込んでひねることにより接続する。これにより、プロジェクタ取付装置は天井Ｒに固定された状態となり、プロジェクタＰ自体が天井Ｒに設置された状態となる。そして、引掛シーリングＳからフック部２、ケーブル５、アウトレット３を介してプロジェクタＰに電力が供給されるため、当該プロジェクタＰは作動することができる。ちなみに、必要であれば、天井Ｒに取り付けた状態で角度調整部４を操作し、プロジェクタＰの投射角度を設定する。
【００２３】
このようにすることにより、机上用プロジェクタＰであっても取付ベース部１を介して本発明であるプロジェクタ取付装置を取り付けることで、容易に天井Ｒに設置し、利用することができる。すなわち、天井に設置する専用のプロジェクタを購入することなく、机上用のプロジェクタを天井に設置できるため、コストを抑えつつ障害物に影響を受けず利用することができる。また、常時、プロジェクタをぶら下げておく必要もなく、頭上スペースの有効利用を図ることができる。
【００２４】
〈他の実施形態〉
次に、本発明における他の実施形態を説明する。当該他の実施形態では、基本的には上述したプロジェクタ取付装置とほぼ同一の構成要素を備えており、さらに、以下のような機器を備えている。すなわち、プロジェクタＰから所定のケーブルが接続されることにより当該プロジェクタに信号を伝送する信号受信部（図示せず）が取付ベース部１など装置自体の所定箇所に配設されている。そして、この信号受信部は、他の機器と交信可能であって、当該他の機器からプロジェクタＰにて出力される信号を受信する機能を備えている。例えば、上記他の機器とは、ＤＶＤ再生機器やパソコンであって、従来ではこれらの機器に接続されて当該機器から映像信号を受信するためのケーブルが、本実施形態では信号受信部に接続される。そして、ＤＶＤ再生機器などと信号受信部とは有線にて接続されていてもよいが、これらは無線方式にて交信して、映像信号などを機器から信号受信部に送信するようになっている。すなわち、ＤＶＤ再生機器などに、無線交信手段を介して、当該機器から信号受信部に再生信号を送信するようにする。
【００２５】
また、このとき、特に、レーザ光を用いた無線方式にて交信することとしている。但し、無線方式はレーザ光に限定されず、電波、赤外線などであってもよい。そして、汎用の通信規約に則った無線ネットワーク装置を利用してもよい。
【００２６】
このようにすることにより、プロジェクタＰが天井Ｒというユーザにとって操作しにくい場所に設置したとしても、あらかじめプロジェクタＰを他の機器から無線方式にて伝送される映像信号を受信する信号受信部に接続しておくことにより、ユーザは他の機器を用いて信号受信部を介してプロジェクタに信号を送信することができるため、容易に操作することができ、ユーザの利便性の向上を図ることができる。また、無線方式による交信を実現することで、床面付近に設置されている他の機器と、天井に設置されているプロジェクタＰとをケーブルにて接続することが抑制されるため、居住空間に余分なケーブルが無くなり、室内の有効利用を図ることができる。そして、無線方式をレーザ光を用いた交信とすると、帯域が広く取れると共に、交点が視認でき、設置時のねらいあわせが容易となり、さらなるユーザの利便性の向上を図ることができる。
【００２７】
【発明の効果】
本発明は、以上のように構成され機能するので、これによると、取付ベース部に汎用のプロジェクタを固定し、引掛シーリング等にフック部を介して天井に設置すると共に、引掛シーリングから電力を取り込むことで、天井に設置する専用のプロジェクタを購入することなく、机上用のプロジェクタを容易に天井に設置でき、コストを抑えつつ障害物に影響を受けず利用することができると共に、常時、プロジェクタをぶら下げておくことを抑制することができ、頭上スペースの有効利用を図ることができる、という従来にない優れた効果を有する。
【００２８】
また、角度調整部を備えたことで、プロジェクタの天井に対する角度を、すなわち、プロジェクタの投影角度を所定の角度に容易に設定することができるため、プロジェクタの有効利用を図ることができる。
【００２９】
さらに、プロジェクタに信号を伝送する信号受信部を配設し、このとき、信号受信部は、他の機器と無線方式にて交信することとすることで、プロジェクタが天井というユーザの手が届かない場所に設置されていても、あらかじめプロジェクタを他の機器から無線方式にて伝送される映像信号を受信する信号受信部に接続しておくことにより、ユーザは他の機器を用いて信号受信部を介してプロジェクタに信号を送信することができるため、容易に操作することができ、ユーザの利便性の向上を図ることができる。また、無線交信をレーザ光を用いた交信とすると、帯域が広く取れると共に、交点が視認でき、設置時のねらいあわせが容易となり、さらなるユーザの利便性の向上を図ることができる。
【図面の簡単な説明】
【図１】本発明の一実施形態における構成を示す正面図である。
【図２】従来例における天井用プロジェクタを示す概略図である。
【符号の説明】
１　取付ベース部
２　フック部
３　アウトレット
４　角度調整部
５　ケーブル
１１　保持手段
２１　フックベース部
４１　揺動部
４２　ガイド部
Ｐ　プロジェクタ
Ｒ　天井
【図１】
2004013043.tif 000003
【図２】
2004013043.tif 000004